(57)【要約】【課題】さまざまな使用態様に対応可能な起立・着座補助型の手すりを有した洋風便器装置を提供することにある。【解決手段】手すり部１１を有した洋風便器装置１であって、手すり部１１は、先端を前方に向け直線的に棒状に延出され、長手方向の適宜な位置で上方より押圧可能とされ、押圧された位置において上方より斜め後方に向けて押圧力が作用するように上面部１１ａが下り傾斜している。【選択図】図１
2018061748.tif 000002
【特許請求の範囲】
【請求項１】
手すり部を有した洋風便器装置であって、
前記手すり部は、先端を前方に向け直線的に棒状に延出され、長手方向の適宜な位置で上方より押圧可能とされ、押圧された位置において上方より斜め後方に向けて押圧力が作用するように上面部が下り傾斜していることを特徴とする洋風便器装置。
【請求項２】
請求項１において、
前記手すり部は、複数の段階的な下り傾斜状態で固定保持され得る、洋風便器装置。
【請求項３】
請求項１または２において、
前記手すり部は、前記上面部が０〜５度の傾斜で固定保持されるようになっている、洋風便器装置。
【発明の詳細な説明】
【技術分野】
【０００１】
本発明は、手すり部を有した洋風便器装置に関する。
【背景技術】
【０００２】
従来のこの種の洋風便器装置として、手すり部が回動可能とされたものが種々提案されている（たとえば、特許文献１参照）。この洋風便器装置の手すり部は、不使用のときには起立させておき、必要なときに、その起立位置から略水平な状態に回動し、固定することで肘掛け部として使用できるようになっている。
【先行技術文献】
【特許文献】
【０００３】
【特許文献１】特開２０１５−１４３４３１号公報
【発明の概要】
【発明が解決しようとする課題】
【０００４】
ところで、上記文献の洋風便器装置は手すりが肘掛け部として利用されることを主たる目的としたものであり、人の着座状態からの起立（立ち上がり）や着座を補助することを目的としたものではない。上記文献には、手すりを人が起立しやすいような状態に保持することについての記載はない。
【０００５】
手すり部を下り傾斜状態に固定して、人の起立を補助できるようにすることは想定することができるが、利用者の体形や座り方など多くの使用態様に対応可能な起立・着座補助型の手すりを有した洋風便器装置は、従来には提案されていない。
【０００６】
本発明は、このような事情を考慮して提案されたもので、その目的は、さまざまな使用態様に対応可能な起立・着座補助型の手すり部を有した洋風便器装置を提供することにある。
【課題を解決するための手段】
【０００７】
上記目的を達成するため、本発明の洋風便器装置は、手すり部を有した洋風便器装置であって、前記手すり部は、先端を前方に向け直線的に棒状に延出され、長手方向の適宜な位置で上方より押圧可能とされ、押圧された位置において上方より斜め後方に向けて押圧力が作用するように上面部が下り傾斜していることを特徴とする。
【発明の効果】
【０００８】
本発明に係る洋風便器装置によれば、上述の構成となっているため、さまざまな使用態様に対応して、使用者の着座状態からの起立および立ち位置からの着座を補助することができる。
【図面の簡単な説明】
【０００９】
【図１】（ａ）（ｂ）は、本発明の一実施形態に係る洋風便器装置を模式的に示した、概略側面図である。
【図２】（ａ）（ｂ）は、本発明の他の実施形態に係る洋風便器装置を模式的に示した、概略側面図である。
【図３】（ａ）（ｂ）は、本発明のさらに他の実施形態に係る洋風便器装置を模式的に示した、概略側面図である。
【図４】図１に示した洋風便器装置に用いられる手すり部の回動を説明するための概略側面図である。
【図５】（ａ）（ｂ）は、洋風便器装置に設けた手すり部の使用態様を模式的に示した、一部省略概略拡大側面図である。
【発明を実施するための形態】
【００１０】
以下に、本発明の実施の形態について添付図面にもとづいて説明する。まず、本実施形態に係る洋風便器装置１の基本構成について説明する。なお、以下の実施形態の説明における上下方向等の方向は、洋風便器装置１が設置された状態を基準としている。
【００１１】
図１〜図３に示した本洋風便器装置１は、手すり部１１を有した便器装置である。手すり部１１は、先端を前方に向け直線的に棒状に延出され、長手方向の適宜な位置で上方より押圧可能とされ、押圧された位置において上方より斜め後方に向けて押圧力が作用するように上面部１１ａが下り傾斜している。
【００１２】
また、以下の実施形態のものでは、手すり部１１は、便座１ｂに着座した人の肘掛け部として利用できる高さ位置に配されている。この手すり部１１は、その骨組が棒状体とされるが、把持しやすいようにカバーが被せてあってもよい。
【００１３】
図１に示す例では、手すり部１１と、手すり部１１を連成した腕状部１２と、腕状部１２の基端に固定された円盤状の回動プレート１３とより手すり体１０Ａが構成されている。この手すり体１０Ａの腕状部１２は、便器本体１ａの両側部の外側を囲うように配したフレーム２０に軸支され、手すり部１１が複数の段階的な下り傾斜状態で固定保持され得るようになっている。
【００１４】
また図２に示す例では、手すり部１１はラチェット部１４を介して腕状部１２に接続されており、手すり部１１とラチェット部１４と腕状部１２とより手すり体１０Ｂが構成されている。この手すり体１０Ａの腕状部１２は便器本体１ａの両側部の外側を囲うように配したフレーム２０に固定され、一方、手すり部１１はラチェット部１４のラチェット機構により、回動角度による複数の段階的な下り傾斜状態で固定保持され得るようになっている。
【００１５】
さらに図３に示す例では、手すり部１１は壁固定部材１５および、同様に壁に取り付けた長さ調節可能なスプリング体１６を介して壁３に取り付けられており、手すり部１１と壁固定部材１５とスプリング体１６とより手すり体１０Ｃが構成されている。この手すり体１０Ｃの手すり部１１は、壁固定部材１５に対して回動可能とされ、スプリング体１６の長さを変えることにより、回動角度による複数の段階的な下り傾斜状態で固定保持され得るようになっている。
【００１６】
以下に、上記３形態について個別に詳述する。なお、図１〜図３の各図には、便蓋１ｃが便器本体１ａに対して閉じた状態が示してあり、便座１ｂが破線で示してある。なお、手すり部１１は便器本体１ａの両側面側に設けられることが望ましいが、一方のみに設けられるものであってもよい。
【００１７】
図１に示した洋風便器装置１は、フレーム２０が、床５に設置された便器本体１ａの両側に固定されている。フレーム２０のそれぞれには軸部２１が設けられ、その軸部２１に手すり体１０Ａの腕状部１２の基端が取り付けられて、手すり体１０Ａが一体として回動されるようになっている。
【００１８】
腕状部１２に固定された回動プレート１３にはピン孔１３ａが設けてある。フレーム２０には、軸部２１から、軸支された回動プレート１３のピン孔１３ａまでの距離と合致するように、複数の選択孔２２が設けてある。
【００１９】
図１（ａ）（ｂ）に示すように、ピン孔と１３ａ選択孔２２の１つとを位置合わせして、ピン２５を差し込むことで手すり体１０Ａがフレーム２０に対して固定されることとなる。こうして手すり体１０Ａの回動がロックされ得る。
【００２０】
図１（ａ）の状態では、手すり部１１の上面部１１ａが略水平状態となるように手すり体１０Ａがロックされている。この略水平な状態の手すり部１１は、人が便座１ｂに着座したときの肘掛け部として使用され得る。
【００２１】
また図１（ｂ）では、手すり部１１はその上面部１１ａが下り傾斜した状態となっている。この状態では、手すり部１１の傾斜角度θ１は５度程度とされ、さらにもう１段階回動させることで、１０度の傾斜とすることができる。５度の勾配の手すり部１１は、人が離座（起立、立ち上がり）や着座のときに人の手指により上方より上面部１１ａが押圧されれば、その押圧力は斜め下後方に向かう（図１（ｂ）の白抜き矢印参照）。
【００２２】
したがって、使用者が上半身を前傾させながら手すり部１１を図１（ｂ）のように押圧すれば、後方からは斜め上前方への反力（図１（ｂ）の黒矢印参照）が作用して、立ち上がりがしやすくなる。なお、起立補助や着座補助としての手すり部１１の傾斜角度θ１については、図１（ｂ）に示した程度であることが望ましく、これについては図４の説明において後述する。また、傾斜角度θ１が０度〜１０度（望ましくは５度）程度であれば、便座１ｂへの着座も違和感なく、安全に腰掛けることができる。
【００２３】
さらに、手すり部１１は上面部１１ａのどの位置においても傾斜角度θ１を略一定とした棒状体とされるため、どの位置で操作しても斜め下後方に押圧力が作用する。そのため、どのような体形の使用者であっても、またどのような座り方であっても、使用者は概ね同様に起立補助を受けることができる。
【００２４】
また、図１の形態のものは、手すり部１１の傾斜の切り替えをピン２５の挿入でなされるため、着座する際あるいは離座する際、手すり部１１を操作しているだけでは容易に切り替えがなされることがなく、安全である。特に、老人の一人暮らしなど、手すり部１１がおもに起立・着座補助として使用され、かつその傾斜を変える必要がほとんどない使用態様において有効である。
【００２５】
図２に示した洋風便器装置１では、フレーム２０が便器本体１ａの両側に固定され、そのフレーム２０に手すり体１０Ｂの腕状部１２の基端が固定されている。
【００２６】
手すり部１１は、ラチェット部１４のラチェット機構により、手すり部１１が最下位置から上方への段階的な回動が可能とされ、それぞれの段階的な位置では下方への回動が禁止されるようになっている。また、手すり部１１が所定の最上位置まで回動されれば、下方への回動が許容される。
【００２７】
この手すり部１１も、図１（ａ）（ｂ）のものと同様、手すり部１１は略水平な位置と、複数の下り傾斜位置とに切り替えできるようになっている。なお、手すり部１１の略水平状態、下り傾斜状態における使用態様については図１のものと同様であり、その説明を省略する。手すり部１１の起立・着座補助の効果についても図１のものと同様であるため、その説明を省略する。
【００２８】
図２の形態のものはラチェット機構が用いてあるため、傾斜角度θ１を簡単に切り替えることができる。しかも、手すり部１１を押圧したときに下方へ回動するおそれがないため、安全である。
【００２９】
図３に示した洋風便器装置１は、手すり部１１は別体の壁固定部材１５を介して壁３に取り付けられている。手すり部１１は壁固定部材１５に軸支され、壁固定部材１５に対して回動自在とされている。さらに手すり部１１は、一端を壁３に取り付けたスプリング体１６の他端に回動自在に取り付けられている。手すり部１１は、このスプリング体１６の長さ調節をすることで、略水平状態と、段階的な下り傾斜状態とに切り替えされ得るようになっている。なお、スプリング体１６としては圧縮ばねを用いることが望ましい。
【００３０】
手すり部１１の略水平状態、下り傾斜状態における使用態様については図１のものと同様であり、その説明を省略する。手すり部１１の起立補助等の効果についても図１のものと同様であるため、その説明を省略する。
【００３１】
このように、図３の形態のものは手すり体１０Ｃを壁付けする形態であるため、便器本体１ａを壁３に接するように設置するタイプの洋風便器装置１に使用しやすい。また、図３に示すように、手すり体１０Ｃをコンパクトに取り付けでき、かつフレーム２０が不要であるため、狭いトイレ空間において使用するのに適している。
【００３２】
なお、図１、図２のものはフレーム２０を介して手すり体１０Ａ、１０Ｂが取り付けされるように構成されているが、便器本体１ａに一体的に取り付けされるものであってもよい。
【００３３】
また、図４に示すように、手すり部１１と腕状部１２とが一体となって回動する図１と同様形状のものでは、回動径ｄが図２に示したものの径よりも大きいため、軸部２１を低い位置にすれば、下方への回動により手すり部１１が前方に突出しやすくなる。そのため、人が上半身を前傾にして使いやすく、立ち上がりはしやすい。また、手すり部１１は下り傾斜位置において先端が突出するため、着座の際に手すり部１１を把持しやすい。
【００３４】
感応評価実験によれば、図４のように手すり部１１の先端を下げ、手すり部１１を図中の実線で示した状態から２点鎖線で示した状態までの範囲の傾斜としたときに立ち上がりやすいとの評価結果であった。手すり部１１の先端と軸部２１とを結ぶ直線の床５に対する角度θ２は、手すり部１１が略水平のときは４５度、下り傾斜（２点鎖線で図示）のときは４０度であり、手すり部１１の傾斜角度θ１は約５度であった。また、回動径ｄを７００ｍｍとした場合、回動の上記５度の変化で手すり部１１の先端位置は約４０ｍｍ下方へ移動した。感応評価実験によれば、体格の異なる高齢者の約９割が、以上の角度変化の範囲内が立ち上がりやすいと判断した。
【００３５】
以上には３種の実施形態を示したが、その他の構造のものであってもよく、すくなくとも、棒状体の手すり部１１が下り傾斜した状態で保持され得るものであれば、どのような構成であってもよい。
【００３６】
たとえば、図１の変形例として、ピン２５をフレーム２０の複数の孔のいずれかに差し込んでピン２５の頭部や軸部を腕状部１２の回動ストッパとして用いるものであってもよい。また手すり部１１と腕状部１２を一体として、スプリング体１６で回動可能としたものでもよい。ラチェット部１４を手すり部１１、腕状部１２間に取り付け、腕状部１２を壁３や床５、便器本体１ａに取り付けたものであってもよい。
【００３７】
ついで、手すり部１１に対する手指による押圧の方法について、図５（ａ）（ｂ）を参照しながら説明する。
【００３８】
押圧の仕方としては、手７で手すり部１１を掴む（把持する）、図５（ａ）に示した方法と、手７を広げて手すり部１１の上面部１１ａに沿わせる、図５（ｂ）に示した方法がある。これらはいずれも、前腕８を床５に対して略垂直に配した例である。このような前腕８の状態は、体を前傾させた場合になりやすい状態である。
【００３９】
このように略真上から手すり部１１を押圧した場合でも、手すり部１１が下り傾斜しているので、反力は斜め前上方に向いて作用する。
【００４０】
また、人の前腕８に対する手７の背屈角度θ３は、調査によれば約８４％の人が８５度以上である。そのため、着座あるいは離座において、図５のように略真上から押圧することを想定すれば、０〜５度程度の下り傾斜角度θ１（図１参照）とすることが望ましい。
【００４１】
体が不自由なため、図５（ｂ）のように、手のひらでしか押圧することができない場合、手すり部１１の下り傾斜により前方に滑らないようにするため、傾斜角度θ１を１０度より大きくすることは適切ではない。なお、図５（ａ）のような把持方法を採る場合、前方へ滑る可能性は低くなるため、傾斜角度θ１を１０度より大きくしてもよい。
【００４２】
また、手すり部１１の上面部１１ａが直線的とされ、さらに上面部１１ａに平面が形成されていれば、図５（ｂ）のように、手のひらで手すり部１１を押圧する場合に使いやすくなる。
【符号の説明】
【００４３】
１                          洋風便器装置
１１                        手すり部
１１ａ                      上面部
【図１】
2018061748.tif 000003
【図２】
2018061748.tif 000004
【図３】
2018061748.tif 000005
【図４】
2018061748.tif 000006
【図５】
2018061748.tif 000007